(57)【要約】【課題】ダストドラムにおいて、塵芥を適度に圧縮しながらも、テーパ部における塵芥の蓄積を防止する。【解決手段】塵芥が投入される投入口４及び塵芥が排出される排出口５を有し、回転中心軸１０ａを中心に回転可能に支持され、排出側に先細となるテーパ部１２を有する円筒状の回転ドラム１０を設ける。この回転ドラム１０の内面に投入口４から投入された塵芥を排出口５に向かって送り出す内部ブレードを設ける。そして、回転中心軸１０ａを含む鉛直面で切断したときに、水平面Ｈに対して、上側部位のテーパ角度Ｂが下側部位のテーパ角度Ａと異なるようにする。【選択図】図１
2017149514.tif 000002
【特許請求の範囲】
【請求項１】
一軸を中心に回転可能で内部に投入された塵芥を貯留及び排出可能なダストドラムにおいて、
上記一軸方向における一端部側に塵芥が投入される投入口、他端部側に塵芥が排出される排出口を有し、上記一軸を中心に回転可能に支持され、該排出口側に先細となるテーパ部を有する円筒状の回転ドラムと、
上記回転ドラムの内面に形成され、上記投入口から投入された塵芥を上記排出口に向かって送り出す内部ブレードとを備えており、
上記テーパ部は、上記一軸を含む鉛直面で切断したときに、水平面に対して、上側部位のテーパ角度が下側部位のテーパ角度と異なるように設けられている
ことを特徴とするダストドラム。
【請求項２】
請求項１に記載のダストドラムにおいて、
上記テーパ部は、上記一軸を含む鉛直面で切断したときに、水平面に対して上側の内面の角度が下側の内面の角度よりも小さい
ことを特徴とするダストドラム。
【請求項３】
請求項１又は２に記載のダストドラムにおいて、
上記一軸は水平面と交差する方向に延びる状態で上記回転ドラムが設けられている
ことを特徴とするダストドラム。
【請求項４】
請求項２又は３に記載のダストドラムにおいて、
上記内部ブレードは、複数の帯状平板を上記投入口側から上記排出口側に向かって略螺旋状の線に沿って上記投入口の近傍まで設けられている
ことを特徴とするダストドラム。
【請求項５】
請求項２〜４のいずれか１つに記載のダストドラムにおいて、
上記回転ドラムの上記投入口側は、略円筒状である
ことを特徴とするダストドラム。
【請求項６】
請求項２から５のいずれか１つに記載のダストドラムにおいて、
上記回転ドラムには、該回転ドラムの内部で発生した汚水を排出するための排水部が設けられている
ことを特徴とするダストドラム。
【請求項７】
請求項１から６のいずれか１つに記載のダストドラムにおいて、
上記回転ドラムは、該回転ドラムの外周面から半径方向外側へ突出したリング状の外周リングが設けられ、
上記外周リングには、該外周リングにおける側面に当接可能な側方支持部が設けられている
ことを特徴とするダストドラム。
【請求項８】
請求項１から７のいずれか１つに記載のダストドラムにおいて、
上記投入口は、側面視で上記一軸よりも下方に設けられている
ことを特徴とするダストドラム。
【発明の詳細な説明】
【技術分野】
【０００１】
本発明は、内部に投入された塵芥を貯留及び排出可能なダストドラムに関する。
【背景技術】
【０００２】
従来より、例えば特許文献１のように、水平方向に延びる回転中心軸に対して回転可能に配置されると共に、その回転中心軸方向の一端が開口しかつ、他端が開閉可能な排出口とされた筒状であって、開口側から内部に投入された塵芥を、所定の回転方向に回転するに伴い排出口側に送り込むことによって、当該塵芥を圧縮してその内部に貯留する回転ドラムと、回転ドラムの開口から回転中心軸方向に挿入されることによって回転ドラム内における開口の近傍に配置されかつ、回転ドラム内に塵芥を導入するための導入部材とを備えた塵芥貯留装置が知られている。この塵芥貯留装置では、回転ドラムの排出口側にテーパ部が設けられており、そのことで内部の塵芥を圧縮しながら排出口へ誘導できるようになっている。
【先行技術文献】
【特許文献】
【０００３】
【特許文献１】特許第５４２６８５８号公報
【発明の概要】
【発明が解決しようとする課題】
【０００４】
しかしながら、従来の塵芥貯留装置（以下ダストドラムという）では、回転ドラムのテーパ部に合わせて塵芥も隆起しやすく（いわゆるブリッジ現象）、ダストドラムの円筒部にはまだ余裕があるのに、排出口側に塵芥が蓄積して排出しにくくなるという偏った状態となる恐れがある。
【０００５】
このブリッジ現象について簡単に説明すると、図１４に示すように、水平な回転中心軸１１０ａの回転ドラム１１０が円筒部１１１と排出口１０５側のテーパ部１１２とを有する場合、回転中心軸１１０ａを含む鉛直面で切断したときに水平面Ｈに対するテーパ部１１２の下面側の角度Ａと上面側の角度Ｂとが等しい。内部ブレード（図示せず）による推進力によって塵芥５０は、テーパ部１１２の内面に押し付けられる。図１３の場合、下面側に加わる押付力Ｘと上面側に加わる押付力Ｙとは、ほぼ等しくなる（Ｘ＝Ｙ）。そうなると、それぞれによって発生する摩擦力ｘ，ｙも等しくなり（ｘ＝ｙ）、塵芥５０に安定した摩擦力が加わって塵芥５０同士がアーチ構造を形成してしまって排出口１０５の近傍に溜まりやすくなるという問題がある。
【０００６】
本発明は、かかる点に鑑みてなされたものであり、その目的とするところは、塵芥を適度に圧縮しながらも、テーパ部における塵芥の蓄積を防止することにある。
【課題を解決するための手段】
【０００７】
上記の目的を達成するために、この発明では、回転ドラムのテーパ部を側方から見たときに、上側の内面の角度を下側の内面の角度と異なるようにした。
【０００８】
具体的には、本発明では、一軸を中心に回転可能で内部に投入された塵芥を貯留及び排出可能なダストドラムを前提とし、
上記ダストドラムは、
上記一軸方向における一端部側に塵芥が投入される投入口、他端部側に塵芥が排出される排出口を有し、上記一軸を中心に回転可能に支持され、該排出口側に先細となるテーパ部を有する円筒状の回転ドラムと、
上記回転ドラムの内面に形成され、上記投入口から投入された塵芥を上記排出口に向かって送り出す内部ブレードとを備えており、
上記テーパ部は、上記一軸を含む鉛直面で切断したときに、水平面に対して、上側部位のテーパ角度が下側部位のテーパ角度と異なるように設けられている。
【０００９】
上記の構成によると、テーパ部がある場合でも、テーパ部の上側内面の角度と下側内面の角度とを相違させることで、排出口側で塵芥に加わる摩擦力が分散しやすくなり、排出口側での塵芥のブリッジ現象が避けられる。
【００１０】
また、上記テーパ部は、上記一軸を含む鉛直面で切断したときに、水平面に対して上側の内面の角度が下側の内面の角度よりも小さくてもよい。
【００１１】
上記の構成によると、テーパ部の上側内面の角度を水平に近付けることにより、傾斜が緩くなってテーパ部において塵芥が圧縮されながらも、排出口側で塵芥に加わる力が分散しやすくなり、排出口側での塵芥のブリッジ現象が避けられる。
【００１２】
また、上記一軸は水平面と交差する方向に延びる状態で上記回転ドラムが設けられている。
【００１３】
上記の構成によると、排出口側で塵芥に加わる摩擦力が分散しやすくなり、排出口側での塵芥のブリッジ現象が避けられる。
【００１４】
また、上記内部ブレードは、複数の帯状平板を上記投入口側から上記排出口側に向かって略螺旋状の線に沿って上記投入口側の近傍まで設けられていてもよい。
【００１５】
上記の構成によると、連続して内部ブレードを螺旋状に設ける場合に比べて製造が容易であり、その角度も調整しやすい。しかも、投入口側の近傍まで内部ブレードを設けることで、投入口から見て手前側に塵芥が溜まらない。
【００１６】
また、上記回転ドラムの上記投入口側は、略円筒状であってもよい。
【００１７】
上記の構成によると、テーパ状の内面を広範囲に設ける場合に比べて投入口の手前側まで塵芥を貯留でき、容量が増える。
【００１８】
また、上記回転ドラムには、該回転ドラムの内部で発生した汚水を排出するための排水部が設けられていてもよい。
【００１９】
上記の構成によると、例えば回転中心軸を投入口側又は排出口側が高くなるように傾けた場合に反対側に汚水が溜まるので、その部分に排水部を設けることで、回転ドラム内に汚水が溜まらず、またその汚水を処理しやすい。
【００２０】
さらに、上記回転ドラムは、該回転ドラムの外周面から半径方向外側へ突出したリング状の外周リングが設けられ、
上記外周リングには、該外周リングにおける側面に当接可能な側方支持部が設けられていてもよい。
【００２１】
上記の構成によると、回転中心軸を傾けた場合でも回転ドラムを回転させたときに側方支持部が当接してドラムのずれを防止するので、回転ドラムの回転が安定する。
【００２２】
また、上記投入口は、側面視で上記一軸よりも下方に設けられているとよい。
【００２３】
上記の構成によると、ユーザが塵芥を手で直接投入するときの作業が極めて簡易となる。また、投入口の高さに合わせてユーザ用の台座や階段等の施設設置を省略することもできる。
【発明の効果】
【００２４】
以上説明したように、本発明によれば、一軸を含む鉛直面で切断したときの、テーパ部の水平面に対する上側の内面の角度が下側の内面の角度と異なるようにしたことにより、塵芥を適度に圧縮しながらも、テーパ部における塵芥の蓄積を防止することができる。
【図面の簡単な説明】
【００２５】
【図１】本発明の実施形態に係るダストドラムを示す側面図である。
【図２】本発明の実施形態に係るダストドラムを示す平面図である。
【図３】本発明の実施形態に係るダストドラムを拡大して示す正面図である。
【図４】本発明の実施形態に係るダストドラムを拡大して示す背面図である。
【図５】投入側及び排出側ローラを示す側面図である。
【図６】排出側ローラを示す背面図である。
【図７】回転ドラムを示す側面図である。
【図８】排水部及びその周辺を示す正面図である。
【図９】排水パンを示す平面図である。
【図１０】排水部及びその周辺を示す断面図である。
【図１１】本発明の実施形態に係るダストドラムにより、ブリッジの発生が抑制される様子を示す側面図である。
【図１２】本発明の実施形態の変形例１に係るダストドラムにより、ブリッジの発生が抑制される様子を示す側面図である。
【図１３】本発明の実施形態の変形例２に係るダストドラムにより、ブリッジの発生が抑制される様子を示す側面図である。
【図１４】従来のダストドラムによりテーパ部においてブリッジが発生する様子を示す側面図である。
【発明を実施するための形態】
【００２６】
以下、本発明の実施形態を図面に基づいて説明する。
【００２７】
図１〜図４は、本発明の実施形態のダストドラム１を示し、このダストドラム１は、内部に投入された塵芥を貯留及び排出可能に構成されている。具体的には、ダストドラム１は、建物の載置面などに載置するためのフレーム状のベース部２を有する。図５及び図６にも示すように、このベース部２は、水平に延びる左右の前後フレーム２ａと、この前後フレーム２ａをつなぐように左右に延びるクロスバー２ｂとを備えている。また、例えば左右側板２ｃが設けられ、上側前後フレーム２ｄも設けられている。ベース部２は、左右側板２ｃ及び上側前後フレーム２ｄだけでなく、左右側面及び上面の全体を覆うように構成してもよい。
【００２８】
前後フレーム２ａ及びクロスバー２ｂの下面には、排出側脚部３ａと投入側脚部３ｂとが設けられている。本実施形態では、排出側脚部３ａの高さが投入側脚部３ｂよりも高くなっている。図３に示すように、ベース部２の正面側には、塵芥を投入する投入口４が設けられ、図４に示すように、背面側には、塵芥を排出する排出口５が設けられている。投入口４には、例えば矩形状で手で開閉可能な投入用扉４ａが設けられている。排出口５には、例えば円形の排出用扉５ｂが開閉機構５ａによって開閉可能に設けられている。排出用扉５ｂの下方には、塵芥を誘導する排出シュート６が設けられている。この排出シュート６の角度は、変更可能に構成されていてもよい。そうすれば、塵芥を回収する塵芥収集車の投入口の高さに合わせたり、コンベアの高さに合わせたりする作業が容易となる。
【００２９】
ベース部２の排出側には、駆動モータ７が設けられている。そして、図５及び図６に示すように、ベース部２には、投入口４側に左右一対の投入側ローラ８が設けられ、排出口５側に左右一対の排出側ローラ９が設けられている。これら投入側ローラ８及び排出側ローラ９には、駆動モータ７で回転駆動される回転ドラム１０が回転可能に支持されている。そして、図１及び図７に示すように、この回転ドラム１０は、その回転中心軸１０ａが、水平面Ｈに対して排出側が角度αだけ高くなるように設けられており、排出口５が投入口４と比較して高くなっている。具体的には、排出口５は回転中心軸１０ａがその中央部分を通過するように設けられているのに対し、投入口４は投入側で回転中心軸１０ａが通過する領域が排出側よりも低くなっているのに加えて、図示するように回転ドラム１０の下底部に寄った状態で設けられている。投入口４が排出口５よりも低い位置に設けられていることで、塵芥を手で直接投入するユーザはその作業が簡易となる。また、投入口４の高さに合わせてユーザ用の台座や階段等の施設設置を省略することも可能となる。さらに、排出口５は投入口４よりも高い位置で設置床面から所定高さだけ離れているので、排出口５からの排出によって、塵芥収集車などの運搬車両に直接的に排出することも可能となる。
【００３０】
回転ドラム１０は、投入側が鋼板を円筒状に製缶して構成された円筒部１１であり、排出側が先端に向かって外径が小さくなるテーパ状のテーパ部１２となっている。円筒部１１の外周には、例えば２つのリング状の被支持部１３が間隔を空けて形成されている。この被支持部１３は回転ドラム１０の補強の役目を果たすと共に、投入側ローラ８及び排出側ローラ９が当接するようになっている。排出側の被支持部１３は、排出側ローラ９に回転支持されるが、この排出側ローラ９は、図６に示すように、被支持部１３の外周面を支持する底部ローラ９ａと、被支持部１３の側面を支持する、側方支持部としての前後一対の側部ローラ９ｂとを備えている。側部ローラ９ｂは、常に被支持部１３の側面に当接して回転する必要はなく、回転ドラム１０が揺れてずれそうになったときに当接してそのずれを防止するようになっていればよい。なお、この側部ローラ９ｂは、回転体ではなく、摩擦抵抗の低い摺動体でもよい。一方、投入側ローラ８は、図５に示すように、被支持部１３の外周面を支持する底部ローラ８ａのみを備えている。なお、投入側ローラ８においても側部ローラ９ｂと同様のローラを設けてもよい。
【００３１】
なお、回転ドラム１０の傾きに合わせて投入用扉４ａを水平面Ｈ（載置面）に対して垂直に設けていてもよい。このようにすれば、投入口４を塞ぐ扉の開閉が容易で投入時の作業性がよくなる。
【００３２】
また、テーパ部１２の先端側には、スプロケット１４が設けられており、駆動モータ７で回転されたチェーン（図示せず）によって回転力を伝達されることで、回転ドラム１０が回転するようになっている。
【００３３】
図７に示すように、回転ドラム１０の内面には、投入口４から投入された塵芥を排出口５に向かって送り出す内部ブレード１５が、例えば溶接により設けられている。この内部ブレード１５は、例えば複数の帯状平板を投入口４側から排出口５側に向かってほぼ螺旋状の線に沿って回転ドラム１０の内面に配置することによって形成されている。例えば、投入口４側から見たときに時計回りに内部ブレード１５が配置されている。このように配置することで、回転ドラム１０を時計回りに回転させると、この内部ブレード１５により、塵芥が排出口５側へ送り込まれるようになっている。この内部ブレード１５は、円筒状の投入口４の近傍からテーパ状の排出口５の近傍まで設けられている。このように構成すれば、円筒部１１の内部において、投入口４付近に載置された塵芥も内部ブレード１５を介して排出口５側に確実に送り込むことができる。また、本実施形態のように回転中心軸１０ａが傾斜していても塵芥が投入口４側に残ることもない。さらに、塵芥を圧縮しない投入口４側が縮径されていない（テーパ状になっていない）ので、回転ドラム１０における塵芥の収容量の低減も防止できる。しかも、投入口４側の近傍まで内部ブレード１５を設けることで、投入口４から見て手前側に塵芥が溜まらない。
【００３４】
そして、図７に示すように、側方から見たときに内部ブレード１５の回転中心軸１０ａに対する角度βは、所定角度以上に確保されている。例えば、内部ブレード１５は、円筒部１１の壁面に対しては特許文献１などで既知の角度と少なくとも同等の角度が確保されている。そのため、回転中心軸１０ａが傾斜している本実施形態では、βは上述した既知の角度よりも大きくなる。なお、テーパ部１２にある内部ブレード１５の角度γは、側方から見たときそれよりも緩い角度とすると、円筒部１１では急な角度βの内部ブレード１５を介して送り込まれた塵芥は、テーパ部１２では緩い角度γの内部ブレード１５で送り込み力が僅かに抑制される。つまり、圧縮効果を生じるテーパ部１２において、過度の圧縮が生じることを事前に防止でき、上述したブリッジ現象防止と併せて相乗的な効果を奏する。要は、投入側から排出側（送り込み方向）に向かって回転ドラム１０が後ろ下がりに傾斜した状態でも、内部ブレード１５による塵芥の送り込み力が低下することを抑制している。このように設定することで、回転中心軸１０ａが水平から傾斜した場合でも適切な速度及び力で塵芥が投入口４から排出口５へ送り込まれる。
【００３５】
また、図８〜図１０に拡大して示すように、回転ドラム１０の投入口４側には、この回転ドラム１０の内部で発生した汚水を排出するための排水部２０が形成されている。具体的には、この排水部２０は、円筒部１１の投入孔側端部１１ａと、投入口４の正面側壁部４ｂとの間に意図的に隙間２１が確保されている。正面側壁部４ｂには、その隙間２１から塵芥が排出されないように、アングル等により、排出阻止部４ｃが設けられている。そして、この隙間２１が設けられている領域には、図１０に示すように、その隙間２１の左右外側に下方に向かって左右中央に向かうように傾斜した汚水レール２２が設けられている。左右一対の汚水レール２２の下方には、アングル等で形成された略水平な汚水ガイド部２３が設けられ、その下に設けた汚水パン２４に汚水レール２２及び汚水ガイド部２３から流れてきた汚水が溜められるようになっている。汚水パン２４は、例えばハンドル２４ａを有し、汚水パン２４を収容する汚水パン収容部２４ｂから出し入れしやすくなっている。
【００３６】
以上説明したように、本実施形態では、テーパ部１２は、側方から見たときの上側の内面の角度Ｂが、下側の内面の角度Ａと異なるようにしている。具体的には、テーパ部１２は、側方から見たときの上側の内面の角度Ｂが下側の内面の角度Ａよりも小さく（Ａ＞Ｂ）なっている。こうすることで、排出口５側で塵芥に加わる力が分散しやすくなり、排出口５側での塵芥５０のブリッジ現象が避けられる。さらに、円筒部１１を側方から見たとき、その周面長さ（長手方向長さ）は上側と下側で同一にしつつ、回転中心軸１０ａが上下に移動することなく円筒部１１の中心軸と一致させることができる。よって、回転ドラム１０の回転時の偏心を防止できる。
【００３７】
つまり図１１に示すように、投入口４から投入された塵芥５０は、内部ブレード１５による推進力によって排出口５側に押し付けられる。そして、奥側の塵芥５０は、テーパ部１２の内面に押し付けられる。図１１の場合、下面側に加わる押付力Ｘと上面側に加わる押付力Ｙとは、回転中心軸１０ａの傾きにより、それぞれ異なった角度となっている。そうなると、それぞれによって発生する摩擦力ｘ，ｙの方向もそれぞれ異なる方向となって塵芥５０に安定した摩擦力が加わることはなく、図１３の従来例のようにブリッジ現象が起こりにくくなる。このように、テーパ部１２の上側内面の角度Ｂを水平に近付けることにより、傾斜が緩くなってテーパ部１２において塵芥５０が圧縮されながらも、塵芥５０の蓄積が効果的に避けられる。
【００３８】
また、排水部２０を設けたので、本実施形態のように回転中心軸１０ａを排出口５側が高くなるように傾けた場合、円筒部１１の投入口４の手前側に汚水が溜まってくると、排水部２０の隙間２１から汚水が汚水レール２２側へ流出し、汚水ガイド部２３を通って汚水パン２４に蓄えられる。このため回転ドラム１０内に汚水が溜まらず、また汚水パン２４の汚水を処理すればよいので、汚水を処理しやすい。特に、回転ドラム１０内の汚水が排されることで、投入できる塵芥貯留量の増加にもつながる。
【００３９】
また、回転ドラム１０の投入口４側をテーパ状ではなく円筒状としたので、投入口４側にテーパ状の内面がある場合に比べて投入口４の手前側まで塵芥５０を貯留でき、収容できる塵芥５０の容量を増やすことができる。
【００４０】
本実施形態では、排出側ローラ９に底部ローラ９ａだけでなく、被支持部１３の側面を支持する前後一対の側部ローラ９ｂを設けたので、回転中心軸１０ａを角度αだけ傾けた場合でも回転ドラム１０を安定して回転させることができる。
【００４１】
したがって、本実施形態に係るダストドラム１によると、塵芥５０を適度に圧縮しながらも、テーパ部１２における塵芥５０の蓄積を防止することができる。
【００４２】
−変形例１−
図１２は本発明の実施形態の変形例１を示し、回転中心軸１０ａ’の傾斜角度が異なる点で上記実施形態と異なる。なお、各変形例では、図１〜図１１と同じ部分については同じ符号を付してその詳細な説明は省略する。
【００４３】
すなわち、本変形例の回転ドラム１０’は、上記実施形態とは逆に回転中心軸１０ａ’が投入口４側の方が排出口５側よりも高くなっている。図示しないが、内部ブレード１５は、上記実施形態と同様に配置されている。
【００４４】
図１２に示すように、本変形例においても投入口４から投入された塵芥５０は、内部ブレード１５による推進力によって排出口５側に押し付けられる。そして、奥側の塵芥５０は、テーパ部１２’の内面に押し付けられる。
【００４５】
本変形例においても、下面側に加わる押付力Ｘと上面側に加わる押付力Ｙとは、回転中心軸１０ａ’の傾きにより、それぞれ異なった角度となっている。そうなると、それぞれによって発生する摩擦力ｘ，ｙの方向もそれぞれ異なる方向となって塵芥５０に安定した摩擦力が加わることはなく、図１３の従来のもので説明したときのようにブリッジ現象が起こりにくくなる。このため、テーパ部１２’において塵芥５０が圧縮されながらも、塵芥５０の蓄積が効果的に避けられる。
【００４６】
−変形例２−
図１３は本発明の実施形態の変形例２を示し、回転中心軸１０ａ’’の傾斜角度が水平面Ｈと平行である点で上記実施形態と異なる。
【００４７】
すなわち、本変形例の回転ドラム１０’’は、上記実施形態とは異なり、回転中心軸１０ａ’’が水平面Ｈと平行となっている。
【００４８】
本変形例では、回転中心軸１０ａ’’を含む鉛直面で切断したときに、水平面Ｈに対して、上側部位のテーパ角度Ｂが下側部位のテーパ角度Ａよりも小さくなっている。この場合、投入口４と排出口５の高さには差がない。なお、テーパ角度Ｂとテーパ角度Ａの大きさに関しては、回転ドラム１０の回転時の偏心が極力抑制できる構成とするのが好ましい。
【００４９】
図１３に示すように、本変形例においても投入口４から投入された塵芥５０は、内部ブレード１５による推進力によって排出口５側に押し付けられる。そして、奥側の塵芥５０は、テーパ部１２’’の内面に押し付けられる。
【００５０】
本変形例においても、下面側に加わる押付力Ｘと上面側に加わる押付力Ｙとは、テーパ部１２’’の内面の傾きの違いにより、それぞれ異なった角度となっている。そうなると、それぞれによって発生する摩擦力ｘ，ｙの方向もそれぞれ異なる方向となって塵芥５０に安定した摩擦力が加わることはなく、ブリッジ現象が起こりにくくなる。このため、テーパ部１２’’において塵芥５０が圧縮されながらも、塵芥５０の蓄積が効果的に避けられる。
【００５１】
なお、以上の実施形態は、本質的に好ましい例示であって、本発明、その適用物や用途の範囲を制限することを意図するものではない。
【符号の説明】
【００５２】
１      ダストドラム
２      ベース部
２ａ    前後フレーム
２ｂ    クロスバー
２ｃ    左右側板
２ｄ    上側前後フレーム
３ａ    排出側脚部
３ｂ    投入側脚部
４      投入口
４ａ    投入用扉
４ｂ    正面側壁部
４ｃ    排出阻止部
５      排出口
５ａ    開閉機構
５ｂ    排出用扉
６      排出シュート
７      駆動モータ
８      投入側ローラ
８ａ    底部ローラ
９      排出側ローラ
９ａ    底部ローラ
９ｂ    側部ローラ（側方支持部）
１０      回転ドラム
１０ａ    回転中心軸（一軸）
１１      円筒部
１１ａ    投入孔側端部
１２      テーパ部
１３      被支持部
１４      スプロケット
１５      内部ブレード
２０      排水部
２１      隙間
２２      汚水レール
２３      汚水ガイド部
２４      汚水パン
２４ａ    ハンドル
２４ｂ    汚水パン収容部
１０'    回転ドラム
１０ａ'  回転中心軸（一軸）
１２'    テーパ部
【図１】
2017149514.tif 000003
【図２】
2017149514.tif 000004
【図３】
2017149514.tif 000005
【図４】
2017149514.tif 000006
【図５】
2017149514.tif 000007
【図６】
2017149514.tif 000008
【図７】
2017149514.tif 000009
【図８】
2017149514.tif 000010
【図９】
2017149514.tif 000011
【図１０】
2017149514.tif 000012
【図１１】
2017149514.tif 000013
【図１２】
2017149514.tif 000014
【図１３】
2017149514.tif 000015
【図１４】
2017149514.tif 000016